(57)【要約】【課題】ＷＰＡＮ、ＷＬＡＮ等の衝突を防止する近距離無線通信端末、近距離無線通信端末搭載機器、近距離無線通信方法、及び近距離無線通信プログラムを提供する。【解決手段】１つ若しくは複数の加速度センサの出力のピーク値を一定時間毎に検出して移動中か静止中かの状態を判定し、静止中の状態で新たに移動中と判定された場合に移動中は電波を送受信しない状態とすることにより、既存のＷＰＡＮグループとの競合を避けると同時に、実際の通信停止は一定時間経過後に実行することにより、移動中と判定された場合でも一定時間内に静止状態への移行を検出して通信の停止を中止することで一時的に動いた場合には電波の送受信が強制的に中断されないＷＰＡＮ端末を実現する。【選択図】図３
2008124652.tif 000002
【特許請求の範囲】
【請求項１】
近距離にある周辺機器と無線で通信し、自端末が移動しているとき、前記周辺機器との通信を停止する近距離無線通信端末において、
前記近距離無線通信端末が移動中の加速度を検出する加速度センサと、
所定時間毎に前記加速度センサから加速度を取得し、該加速度を基に自端末が移動中であるか否かを判定する判定手段と、
自端末が移動中であると判定されてから一定時間後に再び自端末が移動中であると判定されたとき、前記周辺機器との通信を停止する通信停止手段とを有することを特徴とする近距離無線通信端末。
【請求項２】
近距離にある周辺機器と無線で通信し、自端末が移動しているとき、前記周辺機器との通信を停止する近距離無線通信端末において、
前記近距離無線通信端末が移動中の加速度を検出する加速度センサと、
所定時間毎に前記加速度センサから加速度を取得し、該加速度を基に自端末が移動中又は静止中を判定する判定手段と、
自端末が静止中であると判定された後、前記所定時間後に自端末が移動中であると判定されたとき、前記周辺機器又は使用者に通信を停止する旨を通知する停止通知手段と、
前記周辺機器又は使用者から該通知に承諾する旨の応答があったとき、前記通信を停止する通信停止手段とを有することを特徴とする近距離無線通信端末。
【請求項３】
近距離にある周辺機器と無線で通信し、自端末が移動しているとき、前記周辺機器との通信を停止する近距離無線通信端末において、
前記近距離無線通信端末が移動中の加速度を検出する加速度センサと、
所定時間毎に前記加速度センサから加速度を取得し、該加速度を基に自端末が移動中又は静止中であるか否かを判定する判定手段と、
自端末が移動中であると判定された後、前記所定時間後に自端末が静止中であると判定されたとき、前記周辺機器又は使用者に通信を開始する旨を通知する開始通知手段と、
前記周辺機器又は使用者から該通知に承諾する旨の応答があったとき、前記通信を開始する通信開始手段とを有することを特徴とする近距離無線通信端末。
【請求項４】
前記停止通知手段及び前記開始通知手段からの通知に対して応答がなかったとき、該通知に対して承諾又は拒否したものと判断する判断手段を有することを特徴とする請求項２又は３記載の近距離無線通信端末。
【請求項５】
前記停止通知手段及び前記開始通知手段からの通知に対する応答の内容を記憶する記憶手段と、
前記停止通知手段及び前記開始通知手段から通知があったとき、前記記憶手段から応答の内容を読み出して応答する応答手段とを有することを特徴とする請求項２又は３記載の近距離無線通信端末。
【請求項６】
前記停止通知手段及び前記開始通知手段からの通知に対して応答がなかったとき、前記応答手段は前記記憶手段から応答の内容を読み出して応答する応答手段とを有することを特徴とする請求項５記載の近距離無線通信端末。
【請求項７】
前記判定手段は、取得した加速度のピーク値から自端末が移動中であるか否かを判定することを特徴とする請求項１から６のいずれか１項記載の近距離無線通信端末。
【請求項８】
前記判定手段は、前記ピーク値が第１の閾値以上の場合に自端末が移動中であると判定することを特徴とする請求項１から７のいずれか１項記載の近距離無線通信端末。
【請求項９】
前記判定手段は、前記ピーク値が第２の閾値以下の場合に自端末が静止中であると判定することを特徴とする請求項１から８のいずれか１項記載の近距離無線通信端末。
【請求項１０】
請求項１から９のいずれか１項記載の近距離無線通信端末を有することを特徴とする近距離無線通信端末搭載機器。
【請求項１１】
近距離にある周辺機器と無線で通信し、自端末が移動しているとき、前記周辺機器との通信を停止する近距離無線通信端末の近距離無線通信方法において、
前記近距離無線通信端末は、前記近距離無線通信端末が移動中の加速度を検出する加速度センサを有し、
所定時間毎に前記加速度センサから加速度を取得し、該加速度を基に自端末が移動中であるか否かを判定する判定工程と、
自端末が移動中であると判定されてから一定時間後に再び自端末が移動中であると判定されたとき、前記周辺機器との通信を停止する通信停止工程とを有することを特徴とする近距離無線通信方法。
【請求項１２】
近距離にある周辺機器と無線で通信し、自端末が移動しているとき、前記周辺機器との通信を停止する近距離無線通信端末の近距離無線通信方法において、
前記近距離無線通信端末は、前記近距離無線通信端末が移動中の加速度を検出する加速度センサを有し、
所定時間毎に前記加速度センサから加速度を取得し、該加速度を基に自端末が移動中又は静止中を判定する判定工程と、
自端末が静止中であると判定された後、前記所定時間後に自端末が移動中であると判定されたとき、前記周辺機器又は使用者に通信を停止する旨を通知する停止通知工程と、
前記周辺機器又は使用者から該通知に承諾する旨の応答があったとき、前記通信を停止する通信停止工程とを有することを特徴とする近距離無線通信方法。
【請求項１３】
近距離にある周辺機器と無線で通信し、自端末が移動しているとき、前記周辺機器との通信を停止する近距離無線通信端末の近距離無線通信方法において、
前記近距離無線通信端末は、前記近距離無線通信端末が移動中の加速度を検出する加速度センサを有し、
所定時間毎に前記加速度センサから加速度を取得し、該加速度を基に自端末が移動中又は静止中であるか否かを判定する判定工程と、
自端末が移動中であると判定された後、前記所定時間後に自端末が静止中であると判定されたとき、前記周辺機器又は使用者に通信を開始する旨を通知する開始通知工程と、
前記周辺機器又は使用者から該通知に承諾する旨の応答があったとき、前記通信を開始する通信開始工程とを有することを特徴とする近距離無線通信方法。
【請求項１４】
近距離にある周辺機器と無線で通信し、自端末が移動しているとき、前記周辺機器との通信を停止する近距離無線通信端末の近距離無線通信プログラムにおいて、
前記近距離無線通信端末は、前記近距離無線通信端末が移動中の加速度を検出する加速度センサを有し、
所定時間毎に前記加速度センサから加速度を取得し、該加速度を基に自端末が移動中であるか否かを判定する判定処理と、
自端末が移動中であると判定されてから一定時間後に再び自端末が移動中であると判定されたとき、前記周辺機器との通信を停止する通信停止処理とを有することを特徴とする近距離無線通信プログラム。
【請求項１５】
近距離にある周辺機器と無線で通信し、自端末が移動しているとき、前記周辺機器との通信を停止する近距離無線通信端末の近距離無線通信プログラムにおいて、
前記近距離無線通信端末は、前記近距離無線通信端末が移動中の加速度を検出する加速度センサを有し、
所定時間毎に前記加速度センサから加速度を取得し、該加速度を基に自端末が移動中又は静止中を判定する判定処理と、
自端末が静止中であると判定された後、前記所定時間後に自端末が移動中であると判定されたとき、前記周辺機器又は使用者に通信を停止する旨を通知する停止通知処理と、
前記周辺機器又は使用者から該通知に承諾する旨の応答があったとき、前記通信を停止する通信停止処理とを有することを特徴とする近距離無線通信プログラム。
【請求項１６】
近距離にある周辺機器と無線で通信し、自端末が移動しているとき、前記周辺機器との通信を停止する近距離無線通信端末の近距離無線通信プログラムにおいて、
前記近距離無線通信端末は、前記近距離無線通信端末が移動中の加速度を検出する加速度センサを有し、
所定時間毎に前記加速度センサから加速度を取得し、該加速度を基に自端末が移動中又は静止中であるか否かを判定する判定処理と、
自端末が移動中であると判定された後、前記所定時間後に自端末が静止中であると判定されたとき、前記周辺機器又は使用者に通信を開始する旨を通知する開始通知処理と、
前記周辺機器又は使用者から該通知に承諾する旨の応答があったとき、前記通信を開始する通信開始処理とを有することを特徴とする近距離無線通信プログラム。
【発明の詳細な説明】
【技術分野】
【０００１】
本発明は、近距離無線通信端末、近距離無線通信端末搭載機器、近距離無線通信方法、及び近距離無線通信プログラムに関し、特に、ＷＰＡＮ、ＷＬＡＮ等の衝突を防止する近距離無線通信端末、近距離無線通信端末搭載機器、近距離無線通信方法、及び近距離無線通信プログラムに関する。
【背景技術】
【０００２】
近年コンピュータにマウス、キーボード、プリンタ、ストレージデバイス等の周辺機器を接続する手段の１つとして、無線ＬＡＮよりも狭い、最大１０メートル程度の範囲をカバーする、無線パーソナルエリアネットワーク（以下、ＷＰＡＮとする）が注目されている。
【０００３】
ＷＰＡＮは、ネットワークに接続する為の媒体（Medium）として空間を使用するので、媒体にケーブルを使用する従来のＵＳＢ，ＩＥＥＥ１３９４等の有線のインターフェースに比べて手軽であるという利点がある。
【０００４】
一方、無線ＬＡＮよりも狭いとはいえ最大１０メートル程度の範囲をカバーする無線ネットワークなのでオフィスのように狭い範囲に複数のＷＰＡＮのグループがひしめき合う場合、同じ周波数帯で複数の無線ネットワークが共存するという事態が発生し得る。
【０００５】
これに対してＷＰＡＮのグループの競合を回避するため、例えば、特許文献１では、グループの制御局が緩衝スーパーフレーム周期を一時的に設定し、一方、緩衝スーパーフレーム周期のビーコンを受信した制御局以外の端末は、そのスーパーフレーム周期に基づいた短いスーパーフレーム周期を一時的に設定して次のビーコン送信タイミングの微調整を行うことで複数のＷＰＡＮのグループ間の共存関係を保つ技術が開示されている。また、制御局を持たないWiMedia（ＭＢＯＡ）方式では、複数のＷＰＡＮのグループでビーコンを送信するスーパーフレームの周期と送信スロットを共通とし、新たにスーパーフレームの開始位置が異なる端末を検出したらスーパーフレームの開始位置を統合することでＷＰＡＮのグループ間の共存関係を保っている。
【特許文献１】特開２００４−４０６４５号公報
【発明の開示】
【発明が解決しようとする課題】
【０００６】
しかし、これら従来の方法では、グループ外の端末を検出する毎に競合回避を行う必要がある。例えば、図１は、ＷＰＡＮ端末が送受信中にＷＰＡＮグループのカバーする範囲を通過する場合である。図１においてＷＰＡＮ端末１１１，１１２，１１３は、ｃｈＡでグループ１を形成する。ＷＰＡＮ端末１２１，１２２はｃｈＢでグループ２を形成する。ＷＰＡＮ端末１３１，１３２，１３３は、ｃｈＡでグループ３を形成する。ここで、グループ１とグループ２、グループ２とグループ３は、それぞれカバーする範囲が重なるが、ｃｈが異なるためグループ間の競合は発生しない。また、グループ１とグループ３は、ｃｈが同一であるがカバー範囲が重ならないためグループ間の競合は発生しない。
【０００７】
ここに、ｃｈＡでグループ４を形成するＷＰＡＮ端末１４１がＡ地点からＡ´地点へ送受信を行いながら移動すると、グループ１及び４ともにｃｈＡを使用するため、グループ４のカバー範囲とグループ1のカバー範囲が重なる間、ＷＰＡＮ端末１４１とＷＰＡＮ端末１１１，１１２，１１３の間で競合が発生する。
【０００８】
次に、図２は、グループ内のＷＰＡＮ端末が送受信を行いながらグループを離脱する場合である。図２において、ＷＰＡＮ端末１１１，１１２，１１３はｃｈＡでグループ１を形成する。ＷＰＡＮ端末１２１，１２２はｃｈＢでグループ２を形成する。ＷＰＡＮ端末１３１，１３２，１３３はｃｈＡでグループ３を形成する。
【０００９】
ここで、グループ１とグループ２、グループ２とグループ３は、それぞれカバー範囲が重なるがｃｈが異なるためグループ間の競合は発生しない。また、グループ１とグループ３はｃｈが同一であるが、カバー範囲が重ならないのでグループ間の競合は発生しない。
【００１０】
しかし、グループ３のＷＰＡＮ端末１３２が送受信を行いながらＢ地点からＢ´地点へ移動してグループ３を離脱すると、同一ｃｈを使用するグループ１のＷＰＡＮ端末１１１，１１２と競合する。さらに、ＷＰＡＮ端末１１３とも間接的に競合する。
【００１１】
上記の競合の回避策として、ＷＰＡＮ端末を搭載したノートパソコンや携帯情報端末等のＰＤＡ（Personal Digital Assistance）が送受信を行いながら、同一のｃｈでグループを形成する他のＷＰＡＮ端末がカバーする範囲を通過する場合、該グループを通過する度に特許文献１において実行される処理を行わなければならず、移動可能なＷＰＡＮ端末が増加すると処理が頻発してスループットが低下する。
【００１２】
また、１つもしくは複数の加速度センサの出力のピーク値を一定時間毎に検出して移動中かどうかを判定し、移動中は電波を送受信しない状態とすることにより、既存のＷＰＡＮグループとの競合を避けるＷＰＡＮ端末が提案されている。また、検出した１つもしくは複数の加速度センサの出力のピーク値が第１の閾値以上の場合に移動中と判定し、第２の閾値以下の場合に静止中と判定する判定手法も提案されている。しかし、上記の方法では一時的に動いた場合でも電波の送受信が強制的に中断されるという問題がある。
【００１３】
そこで、本発明は、１つもしくは複数の加速度センサの出力のピーク値を一定時間毎に検出して移動中又は静止中の状態の判定を行い、静止中の状態で新たに移動中と判定された場合には一定時間経過後に通信停止処理を実行し、移動中と判定された場合には一定時間内に静止状態への移行を検出することで通信停止処理を中止することにより、一時的に動いた場合には電波の送受信が強制的に中断されない近距離無線通信端末、近距離無線通信端末搭載機器、近距離無線通信方法、及び近距離無線通信プログラムを提案することを目的としている。
【００１４】
また、本発明は、１つもしくは複数の加速度センサの出力のピーク値を一定時間毎に検出して移動中又は静止中の状態の判定を行い、静止中の状態で新たに移動中と判定された場合にその旨を使用者等に通知し、該通知に対する応答に応じて電波を送受信しない状態にするか否かを決定し、さらに移動中の状態で新たに静止中と判定された場合にその旨を使用者等に通知し、該通知に対する応答に応じて電波を送受信するか否かを決定する近距離無線通信端末、近距離無線通信端末搭載機器、近距離無線通信方法、及び近距離無線通信プログラムを提案することを目的としている。
【課題を解決するための手段】
【００１５】
請求項１記載の発明は、近距離にある周辺機器と無線で通信し、自端末が移動しているとき、前記周辺機器との通信を停止する近距離無線通信端末において、前記近距離無線通信端末が移動中の加速度を検出する加速度センサと、所定時間毎に前記加速度センサから加速度を取得し、該加速度を基に自端末が移動中であるか否かを判定する判定手段と、自端末が移動中であると判定されてから一定時間後に再び自端末が移動中であると判定されたとき、前記周辺機器との通信を停止する通信停止手段とを有することを特徴とする。
【００１６】
請求項２記載の発明は、近距離にある周辺機器と無線で通信し、自端末が移動しているとき、前記周辺機器との通信を停止する近距離無線通信端末において、前記近距離無線通信端末が移動中の加速度を検出する加速度センサと、所定時間毎に前記加速度センサから加速度を取得し、該加速度を基に自端末が移動中又は静止中を判定する判定手段と、自端末が静止中であると判定された後、前記所定時間後に自端末が移動中であると判定されたとき、前記周辺機器又は使用者に通信を停止する旨を通知する停止通知手段と、前記周辺機器又は使用者から該通知に承諾する旨の応答があったとき、前記通信を停止する通信停止手段とを有することを特徴とする。
【００１７】
請求項３記載の発明は、近距離にある周辺機器と無線で通信し、自端末が移動しているとき、前記周辺機器との通信を停止する近距離無線通信端末において、前記近距離無線通信端末が移動中の加速度を検出する加速度センサと、所定時間毎に前記加速度センサから加速度を取得し、該加速度を基に自端末が移動中又は静止中であるか否かを判定する判定手段と、自端末が移動中であると判定された後、前記所定時間後に自端末が静止中であると判定されたとき、前記周辺機器又は使用者に通信を開始する旨を通知する開始通知手段と、前記周辺機器又は使用者から該通知に承諾する旨の応答があったとき、前記通信を開始する通信開始手段とを有することを特徴とする。
【００１８】
請求項４記載の発明は、請求項２又は３記載の近距離無線通信端末において、前記停止通知手段及び前記開始通知手段からの通知に対して応答がなかったとき、該通知に対して承諾又は拒否したものと判断する判断手段を有することを特徴とする。
【００１９】
請求項５記載の発明は、請求項２又は３記載の近距離無線通信端末において、前記停止通知手段及び前記開始通知手段からの通知に対する応答の内容を記憶する記憶手段と、前記停止通知手段及び前記開始通知手段から通知があったとき、前記記憶手段から応答の内容を読み出して応答する応答手段とを有することを特徴とする。
【００２０】
請求項６記載の発明は、請求項５記載の近距離無線通信端末において、前記停止通知手段及び前記開始通知手段からの通知に対して応答がなかったとき、前記応答手段は前記記憶手段から応答の内容を読み出して応答する応答手段とを有することを特徴とする。
【００２１】
請求項７記載の発明は、請求項１から６のいずれか１項記載の近距離無線通信端末において、前記判定手段は、取得した加速度のピーク値から自端末が移動中であるか否かを判定することを特徴とする。
【００２２】
請求項８記載の発明は、請求項１から７のいずれか１項記載の近距離無線通信端末において、前記判定手段は、前記ピーク値が第１の閾値以上の場合に自端末が移動中であると判定することを特徴とする。
【００２３】
請求項９記載の発明は、請求項１から８のいずれか１項記載の近距離無線通信端末において、前記判定手段は、前記ピーク値が第２の閾値以下の場合に自端末が静止中であると判定することを特徴とする。
【００２４】
請求項１０記載の近距離無線通信端末は、請求項１から９のいずれか１項記載の近距離無線通信端末を有することを特徴とする。
【００２５】
請求項１１記載の発明は、近距離にある周辺機器と無線で通信し、自端末が移動しているとき、前記周辺機器との通信を停止する近距離無線通信端末の近距離無線通信方法において、前記近距離無線通信端末は、前記近距離無線通信端末が移動中の加速度を検出する加速度センサを有し、所定時間毎に前記加速度センサから加速度を取得し、該加速度を基に自端末が移動中であるか否かを判定する判定工程と、自端末が移動中であると判定されてから一定時間後に再び自端末が移動中であると判定されたとき、前記周辺機器との通信を停止する通信停止工程とを有することを特徴とする。
【００２６】
請求項１２記載の発明は、近距離にある周辺機器と無線で通信し、自端末が移動しているとき、前記周辺機器との通信を停止する近距離無線通信端末の近距離無線通信方法において、前記近距離無線通信端末は、前記近距離無線通信端末が移動中の加速度を検出する加速度センサを有し、所定時間毎に前記加速度センサから加速度を取得し、該加速度を基に自端末が移動中又は静止中を判定する判定工程と、自端末が静止中であると判定された後、前記所定時間後に自端末が移動中であると判定されたとき、前記周辺機器又は使用者に通信を停止する旨を通知する停止通知工程と、前記周辺機器又は使用者から該通知に承諾する旨の応答があったとき、前記通信を停止する通信停止工程とを有することを特徴とする。
【００２７】
請求項１３記載の発明は、近距離にある周辺機器と無線で通信し、自端末が移動しているとき、前記周辺機器との通信を停止する近距離無線通信端末の近距離無線通信方法において、前記近距離無線通信端末は、前記近距離無線通信端末が移動中の加速度を検出する加速度センサを有し、所定時間毎に前記加速度センサから加速度を取得し、該加速度を基に自端末が移動中又は静止中であるか否かを判定する判定工程と、自端末が移動中であると判定された後、前記所定時間後に自端末が静止中であると判定されたとき、前記周辺機器又は使用者に通信を開始する旨を通知する開始通知工程と、前記周辺機器又は使用者から該通知に承諾する旨の応答があったとき、前記通信を開始する通信開始工程とを有することを特徴とする。
【００２８】
請求項１４記載の発明は、近距離にある周辺機器と無線で通信し、自端末が移動しているとき、前記周辺機器との通信を停止する近距離無線通信端末の近距離無線通信プログラムにおいて、前記近距離無線通信端末は、前記近距離無線通信端末が移動中の加速度を検出する加速度センサを有し、所定時間毎に前記加速度センサから加速度を取得し、該加速度を基に自端末が移動中であるか否かを判定する判定処理と、自端末が移動中であると判定されてから一定時間後に再び自端末が移動中であると判定されたとき、前記周辺機器との通信を停止する通信停止処理とを有することを特徴とする。
【００２９】
請求項１５記載の発明は、近距離にある周辺機器と無線で通信し、自端末が移動しているとき、前記周辺機器との通信を停止する近距離無線通信端末の近距離無線通信プログラムにおいて、前記近距離無線通信端末は、前記近距離無線通信端末が移動中の加速度を検出する加速度センサを有し、所定時間毎に前記加速度センサから加速度を取得し、該加速度を基に自端末が移動中又は静止中を判定する判定処理と、自端末が静止中であると判定された後、前記所定時間後に自端末が移動中であると判定されたとき、前記周辺機器又は使用者に通信を停止する旨を通知する停止通知処理と、前記周辺機器又は使用者から該通知に承諾する旨の応答があったとき、前記通信を停止する通信停止処理とを有することを特徴とする。
【００３０】
請求項１６記載の発明は、近距離にある周辺機器と無線で通信し、自端末が移動しているとき、前記周辺機器との通信を停止する近距離無線通信端末の近距離無線通信プログラムにおいて、前記近距離無線通信端末は、前記近距離無線通信端末が移動中の加速度を検出する加速度センサを有し、所定時間毎に前記加速度センサから加速度を取得し、該加速度を基に自端末が移動中又は静止中であるか否かを判定する判定処理と、自端末が移動中であると判定された後、前記所定時間後に自端末が静止中であると判定されたとき、前記周辺機器又は使用者に通信を開始する旨を通知する開始通知処理と、前記周辺機器又は使用者から該通知に承諾する旨の応答があったとき、前記通信を開始する通信開始処理とを有することを特徴とする。
【発明の効果】
【００３１】
本発明は、１つもしくは複数の加速度センサの出力のピーク値を一定時間毎に検出して移動中か静止中の状態の判定を行い、静止中の状態で新たに移動中と判定された場合には一定時間経過後に通信停止処理を実行し、移動中と判定された場合には一定時間内に静止状態への移行を検出することで通信停止処理を中止することにより、一時的に動いた場合には電波の送受信が強制的に中断されることを防止できる。
【発明を実施するための最良の形態】
【００３２】
以下、本発明の一実施形態に係る近距離無線通信端末の構成及び動作について説明する。なお、本実施形態においては、近距離無線通信端末としてＷＰＡＮ端末を用いた。
【００３３】
図３は本実施形態に係るＷＰＡＮ端末及びその周辺機器の構成を示すブロック図である。本実施形態に係るＷＰＡＮ端末に接続される周辺機器は、ＷＰＡＮ端末１が他のＷＰＡＮ端末と無線通信するためのアンテナ２、ＷＰＡＮ端末１が接続される機器のメインＣＰＵ３、ＷＰＡＮ端末１の接続される機器のメモリ４、メインＣＰＵ３と、ＷＰＡＮ端末１と、メモリ４と、その他の通信等のインターフェースとを接続するバス５である。本実施形態に係るＷＰＡＮ端末は、ベースバンド部１０及びＲＦ部９を有して構成される。
【００３４】
ベースバンド部１０は、ローカルＣＰＵ１１、ＭＡＣ（Medium Access Control）１２、ＰＬＣＰ（Physical Layer Convergence Protocol）１３、ＡＤ／ＤＡ回路１４、ローカルＣＰＵ１１を動作させるためのファームウェアを搭載したファーム搭載メモリ１６、ローカルＣＰＵのワークＲＡＭ１７、ＷＰＡＮ端末１が接続される機器とのユーザインターフェース回路１８、及び加速度センサの出力のピーク値を一定時間毎に検出する加速度検出回路１９を有して構成される。ＲＦ部９は、ＲＦ回路１５を有して構成される。
【００３５】
次に、ＷＰＡＮ端末１が有する各モジュールの動作について説明する。
【００３６】
まず、ＷＰＡＮ端末１に接続される周辺機器に格納されるデータやマネージメントフレームをＷＰＡＮ端末１から送信する動作について説明する。
【００３７】
周辺機器に格納されるデータはメインＣＰＵ３によってバス５上のメモリ４又は図示されない他のモジュールからインターフェース回路１８を介してＭＡＣ１２へ出力される。一方、マネージメントフレームは、ローカルＣＰＵ１１によってワークＲＡＭ１７上で作成されてＭＡＣ１２へ出力される。
【００３８】
ＭＡＣ１２では、入力された周辺機器のデータ及びマネージメントフレームに対して、ＰＬＣＰ１３を制御するデータとＷＰＡＮの規格で決められた管理用のデータ（ヘッダ）を追加する。また、必要に応じてデータの暗号化処理、フラグメント処理（データの細分化）を行って、ＷＰＡＮの規格に沿った形のフレームに変換してＰＣＬＰ１３に出力する。
【００３９】
ＰＬＣＰ１３は、ＭＡＣ１２から入力されたフレームに追加されたヘッダ上のＰＬＣＰ１３を制御するためのデータに基づいて、フレームを伝送速度毎にＷＰＡＮの規格で決められた方式に変調し、ＡＤ／ＤＡ回路１４に出力する。
【００４０】
ＡＤ／ＤＡ回路１４は、ＰＬＣＰ１３から入力され、かつ変調されたフレームを、ディジタル信号からアナログ信号に変換し、ＲＦ回路１５に出力する。
【００４１】
ＲＦ回路１５は、ＡＤ／ＤＡ回路１４でアナログ信号に変換されたフレームに対して増幅・周波数変換等の処理を行ってアンテナ２から送信する。
【００４２】
次に、ＷＰＡＮ端末１が受信したデータフレームを周辺機器に出力し、かつマネージメントフレームをローカルＣＰＵ１１のワークＲＡＭ１７に格納する動作について説明する。
【００４３】
まず、アンテナ２で他のＷＰＡＮ端末から送信されたデータフレーム、マネージメントフレームのアナログ信号を受信する。受信したデータフレーム及びマネージメントフレームのアナログ信号は、ＲＦ回路１５で増幅・周波数変換等の処理を行ってＡＤ／ＤＡ回路１４に出力される。
【００４４】
ＡＤ／ＤＡ回路１４は、ＲＦ回路１５から入力されたアナログ信号をディジタル信号に変換してＰＬＣＰ１３に出力する。
【００４５】
ＰＬＣＰ１３は、ＡＤ／ＤＡ回路１４から入力されたディジタル信号を伝送速度毎にＷＰＡＮの規格で決められた方式で復調してＭＡＣ１２に出力する。
【００４６】
ＭＡＣ１２は、ＰＬＣＰ１３から入力されたデータフレーム、マネージメントフレームに対し、管理用のデータ（ヘッダ）を元にフレームが暗号化されている場合は復号化し、フレームがフラグメントされている場合はデフラグメント処理（細分化されたデータの復元）を施す。そして、データフレームは、インターフェース回路１８を介してバス５上のメモリ４若しくは図示されない他のモジュールへデータとして出力され、マネージメントフレームはローカルＣＰＵ１１のワークＲＡＭ１７に出力される。
【００４７】
なお、ＭＡＣ１２は、上記のデータフレーム、マネージメントフレームに関連する処理に加えてＷＰＡＮの制御を行う為のコントロールフレームの生成・送受信の処理、受信したコントロールフレームを基にしたデータ送信のタイミングに関する時間管理等の処理も行う。さらに、一定時間毎に検出される加速度検出回路１９の出力から端末が移動中か又は静止中かを判定する判定処理と、その結果を元にした電波の送受信に関するＷＰＡＮ端末１の状態を変更する。なお、コントロールフレームの送受信の動作は、データフレーム、マネージメントフレームの送受信の動作において説明したＭＡＣ１２、ＰＬＣＰ１３、ＡＤ／ＤＡ回路１４、ＲＦ回路１５の動作と同様である。上述のパワーマネージメント機能もＭＡＣ１２が行う。
【００４８】
それから、ローカルＣＰＵ１１は、インターフェース回路１８、バス５を介してユーザ回路のメインＣＰＵ３と接続される。また、ローカルＣＰＵ１１は、ＭＡＣ１２、ＲＦ回路１５、ファームウェアを搭載したメモリ１６、ワークＲＡＭ１７と専用若しくは共通のバスで接続され、メインＣＰＵ３からの命令またはメモリ１６に搭載したファームウェアを基にしてそれぞれのモジュールの動作を制御する。特に、ＭＡＣ１２に対しては設定、割込処理、エラー処理、フラグメント処理、デフラグメント処理等、数多くの処理を行う場合がある。ここで、ワークＲＡＭ１７は、ローカルＣＰＵがＭＡＣ１２に対して処理を行う際にデータを一時的に保持する目的で使用される。
【００４９】
次に、加速度検出回路１９の具体的な構成について図４を用いて説明する。
【００５０】
加速度検出回路１９は、加速度センサ（１０１ａ、１０１ｂ、１０１ｃ）、加速度センサ（１０１ａ、１０１ｂ、１０１ｃ）から出力された加速度の絶対値を出力する絶対値回路（１０２ａ、１０２ｂ、１０２ｃ）、絶対値回路（１０２ａ、１０２ｂ、１０２ｃ）の出力を加算する加算器１０３、加算器１０３の出力のピーク値を一定時間毎に出力するＰ／Ｈ回路１０４、Ｐ／Ｈ回路１０４の出力をディジタル信号に変換するＡＤコンバータ１０５、及びローカルＣＰＵ１１にＡＤコンバータ１０５から出力された加速度のディジタル信号を出力し、Ｐ／Ｈ回路１０４の出力をリセットするインターフェース回路１０６を有して構成される。なお、図４では省略しているが、加速度センサ（１０１ａ、１０１ｂ、１０１ｃ）と絶対値回路（１０２ａ、１０２ｂ、１０２ｃ）の間、加算器１０３とＰ／Ｈ回路１０４の間、Ｐ／Ｈ回路１０４とＡＤコンバータ１０５の間に、必要に応じて増幅器やフィルタを挿入することもできる。
【００５１】
次に、加速度検出回路１９の具体的な動作について図５を用いて説明する。
【００５２】
加速度センサ１０１ａは、ＷＰＡＮ端末１のＸ軸方向に加わる加速度の大きさに応じた電圧を出力する（図５（ａ）に示す）。加速度センサ１０１ｂは、ＷＰＡＮ端末１のＹ軸方向に加わる加速度に応じた電圧を出力する（図５（ｂ）に示す）。加速度センサ１０１ｃは、ＷＰＡＮ端末１のＺ軸方向に加わる加速度の大きさに応じた電圧を出力する（図５（ｃ）に示す）。各加速度センサ（１０１ａ、１０１ｂ、１０１ｃ）から出力された電圧は各絶対値回路（１０２ａ、１０２ｂ、１０２ｃ）に入力される。各絶対値回路（１０２ａ、１０２ｂ、１０２ｃ）は入力された加速度の絶対値を出力する（図５（ｄ）、（ｅ）、（ｆ）に示す）。
【００５３】
加算器１０３は、絶対値回路（１０２ａ、１０２ｂ、１０２ｃ）の出力を加算した値（図５（ｇ）に示す）を算出する。Ｐ／Ｈ回路１０４は、ＷＰＡＮ端末１に加わる加速度としてそのピーク値を検出する（図５（ｈ）に示す）。そして、ＡＤコンバータ１０５は、Ｐ／Ｈ回路１０４で検出されたピーク値をデジタルデータに変換し、インターフェース回路１０６を介してローカルＣＰＵ１１に出力する。
【００５４】
なお、インターフェース回路１０６は、ＡＤコンバータ１０５から入力された加速度をローカルＣＰＵに出力する度に、Ｐ／Ｈ回路１０４により保持されるピーク値のリセットを実行する。
【００５５】
図６は、静止中の状態で新たに移動中と判定され、かつ移動中と判定されてから一定時間経過後に通信を停止する通信停止処理、静止中の状態で移動中と判定され、かつ移動中と判定されてから一定時間内に再び静止状態への移行が検出されたときに通信を停止する処理を中止する中止処理の手順を示すフローチャートである。つまり、一時的に動いた場合には電波の送受信が強制的に中断されないＷＰＡＮ端末であって、加速度検出回路１９で検出された加速度のピーク値を元に、ローカルＣＰＵ１１でＷＰＡＮ端末が移動中／静止中の状態の判定と送受信停止／開始を行う処理について説明する。
【００５６】
まず、ＷＰＡＮ端末１の電源がオンされると、新たな状態を示す変数に“静止中”が代入され、静止中の状態で新たに移動中と判定された後の一定時間を計測する為のタイマ２がリセットされ、さらに、アンテナ２によるＷＰＡＮ端末１の電波の送受信が開始される（ステップＳ６０１）。次に、現在の状態を示す変数に新たな状態を示す変数が代入され、一定時間（ｔ１）間隔で加速度のピーク値を検出する為のタイマ１がリセット＆スタートされる（ステップＳ６０２）。タイマ１がスタートすると、タイマ１が一定時間ｔ１に達するのを待って待機する（ステップＳ６０３）。タイマ１の計測時間が一定時間ｔ１に達すると（ステップＳ６０３／ＹＥＳ）、加速度検出回路１９によって計測した一定時間ｔ１内の加速度の出力を読み込む（ステップＳ６０４）。そして、ローカルＣＰＵ１１は検出した加速度のピーク値に基づいて新たな状態を示す変数を決定する（ステップＳ６０５、ステップＳ６１１）。なお、ローカルＣＰＵ１１は、ＷＰＡＮ端末１の状態を判断する基準として、加速度の上限値（Ｖth1）及び下限値（Ｖth2）を保持している。
【００５７】
まず、加速度のピーク値が下限値Ｖth2以下の場合について説明する。加速度検出回路１９から加速度のピーク値を読み込むと（ステップＳ６０４）、ローカルＣＰＵ１１は、読み込んだピーク値がピーク値≦Ｖth2であるか否かを判断する（ステップＳ６０５）。そして、ピーク値≦Ｖth2であった場合（ステップＳ６０５／ＹＥＳ）、ローカルＣＰＵ１１は新たな状態を示す変数に“静止中”を代入する（ステップＳ６０６）。次に、ローカルＣＰＵ１１は、現在の状態が“移動中”であるか否かを判断する（ステップＳ６０７）。現在の状態が“移動中”であると判断された場合は（ステップＳ６０７／ＹＥＳ）、現在の状態が“移動中”と判定されてからの時間を示すタイマ２の値を検出し、タイマ２＝０であるか否かを判断する（ステップＳ６０８）。ここで、タイマ２＝０でない場合は（ステップＳ６０８／ＮＯ）、現在の状態が“移動中”と判定されてから送受信を停止するまでの一定時間ｔ２が経過していない場合、即ち一時的に動いた場合に相当し、この時点で電波の送受信は停止していないため、タイマ２をリセットして（ステップＳ６１０）、ステップＳ６０２に戻る。一方、タイマ２＝０であった場合は（ステップＳ６０８／ＹＥＳ）、現在の状態が“移動中”と判定されてから送受信を停止するまでの一定時間ｔ２が経過しており、既に電波の送受信が停止されているため、再び送受信を開始して（ステップＳ６０９)、ステップＳ６０２に戻る。一方、現在の状態が“移動中”でないと判断された場合（ステップＳ６０７／ＮＯ）、即ち現在の状態が“静止中”の場合は、新たな処理を行わずにステップＳ６０２に戻る。
【００５８】
次に、加速度のピーク値が下限値Ｖth2より大きく、かつ上限値Ｖth1より小さい場合について説明する。加速度検出回路１９から加速度のピーク値を読み込むと（ステップＳ６０４）、ローカルＣＰＵ１１は、読み込んだピーク値がピーク値≦Ｖth2であるか否かを判断する（ステップＳ６０５）。そして、ピーク値≦Ｖth2でない場合（ステップＳ６０５／ＮＯ）、ローカルＣＰＵ１１は、ピーク値＜Ｖth1であるか否かを判断する（ステップＳ６１１）。そして、ピーク値＜Ｖth1であった場合は（ステップＳ６１１／ＹＥＳ）、ローカルＣＰＵ１１は新たな状態を示す変数に現在の状態を代入する（ステップＳ６１２）。次に、ローカルＣＰＵ１１は、現在の状態が“移動中”であるか否かを判断する（ステップＳ６１３）。現在の状態が“移動中”の場合は（ステップＳ６１３／ＹＥＳ）、現在の状態が“移動中”と判定されてからの時間を示すタイマ２の値が一定時間ｔ２以上であるか否かを判断する（ステップＳ６１４）。ここで、タイマ２≧ｔ２でない場合（ステップＳ６１４／ＮＯ）、即ち“移動中”と判定されてから送受信を停止するまでの時間ｔ２が経過していない場合は、新たな処理を行わずにステップＳ６０２に戻る。タイマ２≧ｔ２の場合（ステップＳ６１４／ＹＥＳ）、即ち“移動中”と判定されてから送受信を停止するまでの時間ｔ２を経過している場合は、電波の送受信を停止し、さらにタイマ２をリセットする（ステップＳ６１５）。一方、現在の状態が“移動中”でない場合（ステップＳ６１３／ＮＯ）、即ち“静止中”の場合は、新たな処理を行わずにステップＳ６０２に戻る。
【００５９】
次に、加速度のピーク値が上限値Ｖth1以上の場合について説明する。加速度検出回路１９から加速度のピーク値を読み込むと（ステップＳ６０４）、ローカルＣＰＵ１１は、読み込んだピーク値がピーク値≦Ｖth2であるか否かを判断する（ステップＳ６０５）。そして、ピーク値≦Ｖth2でない場合（ステップＳ６０５／ＮＯ）、ローカルＣＰＵ１１は、ピーク値＜Ｖth1であるか否かを判断する（ステップＳ６１１）。そして、ピーク値＜Ｖth1でない場合は（ステップＳ６１１／ＮＯ）、ローカルＣＰＵは新たな状態を示す変数に“移動中”を代入する（ステップＳ６１６）。次に、ローカルＣＰＵ１１は、現在の状態が“静止中”であるか否かを判断する（ステップＳ６１７）。現在の状態が“静止中”の場合は（ステップＳ６１７／ＹＥＳ）、新たな状態が“移動中”と判定されてからの時間を示すタイマ２がスタートされる（ステップＳ６１８）。そして、ステップＳ６０２に戻る。一方、現在の状態が“静止中”でない場合（ステップＳ６１７／ＮＯ）、即ち“移動中”の場合は新たな処理を行わずにステップＳ６０２に戻る。
【００６０】
図６に示す処理によれば、１つ若しくは複数の加速度センサの出力のピーク値を一定時間毎に検出して移動中か静止中かの状態を判定し、静止中の状態で新たに移動中と判定された場合に移動中は電波を送受信しない状態とすることにより、既存のＷＰＡＮグループとの競合を避けると同時に、実際の通信停止は一定時間経過後に実行することにより、移動中と判定された場合でも一定時間内に静止状態への移行を検出して通信の停止を中止することで一時的に動いた場合には電波の送受信が強制的に中断されないＷＰＡＮ端末を実現することができる。
【００６１】
図７は、１つもしくは複数の加速度センサの出力のピーク値を一定時間毎に検出して移動中か静止中かの状態の判定を行い、静止中の状態で新たに移動中と判定された場合にその旨を通知し、通知に対する応答に応じて電波を送受信しない状態にするかどうかを決定し、移動中の状態で新たに静止中と判定された場合にその旨を通知し、通知に対する応答に応じて電波を送受信する状態にするかどうかを決定するＷＰＡＮ端末であって、加速度検出回路１９で検出された加速度のピーク値を元に、ローカルＣＰＵ１１でＷＰＡＮ端末が移動中／静止中の状態を判定して送受信停止／開始を実行する処理のフローチャートである。
【００６２】
まず、ＷＰＡＮ端末１の電源がオンされると、新たな状態を示す変数に“静止中”が代入され、さらに、アンテナ２によるＷＰＡＮ端末１の電波の送受信が開始される（ステップＳ７０１）。次に、現在の状態を示す変数に新たな状態を示す変数が代入され、一定時間（ｔ１）間隔で加速度のピーク値を検出する為のタイマ１がリセット＆スタートされる（ステップＳ７０２）。タイマ１がスタートすると、タイマ１が一定時間ｔ１に達するのを待って待機する（ステップＳ７０３）。タイマ１の計測時間が一定時間ｔ１に達すると（ステップＳ７０３／ＹＥＳ）、加速度検出回路１９によって計測した一定時間ｔ１内の加速度の出力を読み込む（ステップＳ７０４）。そして、ローカルＣＰＵ１１は検出した加速度のピーク値に基づいて新たな状態を示す変数を決定する（ステップＳ７０５、ステップＳ７１１）。なお、ローカルＣＰＵ１１は、ＷＰＡＮ端末１の状態を判断する基準として、加速度の上限値（Ｖth1）及び下限値（Ｖth2）を保持している。
【００６３】
まず、加速度のピーク値が下限値Ｖth2以下の場合について説明する。加速度検出回路１９から加速度のピーク値を読み込むと（ステップＳ７０４）、ローカルＣＰＵ１１は、読み込んだピーク値がピーク値≦Ｖth2であるか否かを判断する（ステップＳ７０５）。そして、ピーク値≦Ｖth2であった場合（ステップＳ７０５／ＹＥＳ）、ローカルＣＰＵ１１は新たな状態を示す変数に“静止中”を代入する（ステップＳ７０６）。次に、ローカルＣＰＵ１１は、現在の状態が“移動中”であるか否かを判断する（ステップＳ７０７）。現在の状態が“移動中”であると判断された場合は（ステップＳ７０７／ＹＥＳ）、ＷＰＡＮ端末１が接続される周辺機器に移動中から静止中に伴う送受信開始の通知を行い、該通知に対する応答を待って待機する（ステップＳ７０８）。周辺機器から応答を受けると、ローカルＣＰＵ１１は、周辺機器からの応答が送受信開始を承諾するものであるか否かを判断する（ステップＳ７０９）。周辺機器からの応答が送受信開始を承諾するものであった場合は（ステップＳ７０９／ＹＥＳ）、送受信を開始し（ステップＳ７１０）、ステップＳ７０２に戻る。一方、周辺機器からの応答が送受信開始を拒否するものであった場合は（ステップＳ７０９／ＮＯ）、新たな処理を行わずにステップＳ７０２に戻る。一方、現在の状態が“静止中”であると判断された場合は（ステップＳ７０７／ＮＯ）、新たな処理は行われずステップＳ７０２に戻る。
【００６４】
次に、加速度のピーク値が下限値Ｖth2より大きく、かつ上限値Ｖth1より小さい場合について説明する。加速度検出回路１９から加速度のピーク値を読み込むと（ステップＳ７０４）、ローカルＣＰＵ１１は、読み込んだピーク値がピーク値≦Ｖth2であるか否かを判断する（ステップＳ７０５）。そして、ピーク値≦Ｖth2でない場合（ステップＳ７０５／ＮＯ）、ローカルＣＰＵ１１は、ピーク値＜Ｖth1であるか否かを判断する（ステップＳ７１１）。そして、ピーク値＜Ｖth1であった場合は（ステップＳ７１１／ＹＥＳ）、ローカルＣＰＵ１１は新たな状態を示す変数に現在の状態を代入し（ステップＳ７１２）、ステップＳ７０２に戻る。
【００６５】
次に、加速度のピーク値が上限値Ｖth1以上である場合について説明する。加速度検出回路１９から加速度のピーク値を読み込むと（ステップＳ７０４）、ローカルＣＰＵ１１は、読み込んだピーク値がピーク値≦Ｖth2であるか否かを判断する（ステップＳ７０５）。そして、ピーク値≦Ｖth2でない場合（ステップＳ７０５／ＮＯ）、ローカルＣＰＵ１１は、ピーク値＜Ｖth1であるか否かを判断する（ステップＳ７１１）。ピーク値＜Ｖth1でない場合（ステップＳ７１１／ＮＯ）、ローカルＣＰＵは新たな状態を示す変数に“移動中”を代入する（ステップＳ７１３）。次に、ローカルＣＰＵ１１は、現在の状態が“静止中”であるか否かを判断する（ステップＳ７１４）。現在の状態が“静止中”の場合は（ステップＳ７１４／ＹＥＳ）、ＷＰＡＮ端末と接続される周辺機器に静止中から移動中に伴う送受信の停止を通知し、該通知に対する応答を待って待機する（ステップＳ７１５）。周辺機器から応答を受けると、ローカルＣＰＵ１１は、周辺機器からの応答が送受信停止を承諾するものであるか否かを判断する（ステップＳ７１６）。周辺機器からの応答が送受信停止を承諾するものであった場合は（ステップＳ７１６／ＹＥＳ）、送受信を停止し（ステップＳ７１７）、ステップＳ７０２に戻る。一方、周辺機器からの応答が送受信停止を拒否するものであった場合は（ステップＳ７１６／ＮＯ）、新たな処理を行わずにステップＳ７０２に戻る。一方、現在の状態が“静止中”でなかった場合（ステップＳ７１４／ＮＯ）、即ち“移動中”の場合は、新たな処理を行わずにステップＳ７０２に戻る。
【００６６】
図７では、ステップＳ７０７において現在の状態が“移動中”の場合、ＷＰＡＮ端末１と接続される周辺機器に移動中から静止中に伴う送受信の開始を通知して応答を待ち、周辺機器からの応答を基に送受信の開始が承諾されたか否かを判断し、送受信の開始が承諾された場合に送受信を開始している。しかし、ステップＳ７０７において現在の状態が“移動中”の場合におけるステップＳ７０８及びステップＳ７０９の処理を省略し、ステップＳ７０７において現在の状態が“移動中”である場合に直ちに送受信を開始する構成とすることも可能である。また、図７に示すフローチャートでは示していないが、ステップＳ７０９において周辺機器から受け取った応答が通知を承諾するものではなく、ＷＰＡＮ端末が静止中になったにもかかわらずＷＰＡＮ端末の送受信を開始しない場合、使用者が後から応答手段を通じてＷＰＡＮ端末の送受信を開始させる処理を追加することも可能である。
【００６７】
図７に示す処理によれば、１つ若しくは複数の加速度センサの出力のピーク値を一定時間毎に検出して移動中か静止中かの状態を判定し、静止中の状態で新たに移動中と判定された場合に使用者に通知し、通知に対する応答に応じて電波を送受信しない状態にするかどうかを決定して送受信の停止を選択可能とすることにより、一時的に動いた場合には電波の送受信が強制的に中断されないＷＰＡＮ端末を実現することができる。また、１つもしくは複数の加速度センサの出力のピーク値を一定時間毎に検出して移動中か静止中かの状態を判定し、移動中の状態で新たに静止中と判定された場合に使用者に通知し、通知に対する応答に応じて電波を送受信する状態にするか否かを決定することにより、移動先でのＷＰＡＮ端末の送受信の再開を選択できるＷＰＡＮ端末を実現することができる。
【００６８】
次に、他の実施形態に係るＷＰＡＮ端末の構成及び動作について図８を用いて説明する。本実施形態は、静止中の状態で新たに移動中と判定された場合にＷＰＡＮ端末の使用者にその旨を通知し、該通知に対する使用者からの応答に応じて電波を送受信しない状態にするか否かの判断と、移動中の状態で新たに静止中と判定された場合にＷＰＡＮ端末の使用者にその旨を通知し、該通知に対する使用者からの応答に応じて電波を送受信する状態にするか否かの判断とを、ＷＰＡＮ端末のローカルＣＰＵで行う点において、図７において説明した動作と異なる。したがって、ここでは、ＷＰＡＮ端末の構成についてのみ説明し、動作については説明を省略する。
【００６９】
図８に示すように、本実施形態に係るＷＰＡＮ端末１及び周辺機器は、ＷＰＡＮ端末１が他のＷＰＡＮ端末と無線通信するためのアンテナ２、ＷＰＡＮ端末１が接続される周辺機器のメインＣＰＵ３、ＷＰＡＮ端末１が接続される周辺機器のメモリ４、ＷＰＡＮ端末１が接続される周辺機器のメインＣＰＵ３と、ＷＰＡＮ端末１と、メモリ４や他の通信等のインターフェース等とを接続するバス５を有して構成される。
【００７０】
また、ＷＰＡＮ端末１は、ベースバンド部１０とＲＦ部９を有して構成される。ベースバンド部１０は、ローカルＣＰＵ１１、ＭＡＣ（Medium Access Control）１２、ＰＬＣＰ（Physical Layer Convergence Protocol）１３、ＡＤ／ＤＡ回路１４、ローカルＣＰＵ１１を動作させるためのファームウェアを搭載したファーム搭載メモリ１６、ローカルＣＰＵ１１のワークＲＡＭ１７、ＷＰＡＮ端末１が接続される周辺機器とのインターフェース回路１８、加速度センサの出力のピーク値を一定時間毎に検出する加速度検出回路１９、静止中の状態で新たに移動中と判定された場合と移動中の状態で新たに静止中と判定された場合の通知をＷＰＡＮ端末１の使用者に対して行う通知手段２２、及びＷＰＡＮ端末１の使用者が通知に対する応答を入力する応答手段２３を有して構成される。ＲＦ部９はＲＦ回路１５を有して構成される。
【００７１】
本実施形態に係るＷＰＡＮ端末１は、図３に示すＷＰＡＮ端末１に通知手段２２と応答手段２３とを加えたものである。各モジュールの動作は、図７に示すフローチャートのステップＳ７１５において静止中の状態で新たに移動中と判定された場合に通知手段２２により使用者に通知し、使用者からの応答を応答手段２３において受け付け、応答に応じて電波を送受信しない状態にするか否かをローカルＣＰＵ１１において判断すること、及び図７のフローチャートのステップＳ７０８において移動中の状態で新たに静止中と判定された場合に通知手段２２により使用者に通知し、使用者からの応答を応答手段２３において受け付け、応答に応じて電波を送受信する状態にするか否かをローカルＣＰＵ１１において判断することを除いて図７に示す処理と同様である。
【００７２】
次に、他の実施形態に係るＷＰＡＮ端末を搭載するＷＰＡＮ端末搭載機器の構成及び動作について図９を用いて説明する。本実施形態は、静止中の状態で新たに移動中と判定された場合にＷＰＡＮ搭載機器の使用者にその旨を通知し、該通知に対する使用者からの応答に応じて電波を送受信しない状態にするか否かの判断と、移動中の状態で新たに静止中と判定された場合にＷＰＡＮ端末搭載機器の使用者にその旨を通知し、該通知に対する使用者からの応答に応じて電波を送受信する状態にするか否かの判断とを、ＷＰＡＮ端末搭載機器のメインＣＰＵ３で行う点において、図７において説明した動作と異なる。
【００７３】
本実施形態に係るＷＰＡＮ端末搭載機器２１は、ＷＰＡＮ端末１、ＷＰＡＮ端末１が他のＷＰＡＮ端末と無線通信するためのアンテナ２、ＷＰＡＮ端末１を搭載するＷＰＡＮ端末搭載機器２１のメインＣＰＵ３、ＷＰＡＮ端末１を搭載するＷＰＡＮ端末搭載機器２１のメモリ４、ＷＰＡＮ端末１を搭載するＷＰＡＮ端末搭載機器２１のメインＣＰＵ３と、ＷＰＡＮ端末１と、メモリ４や他の通信等のインターフェース等とを接続するバス５、静止中の状態で新たに移動中と判定された場合及び移動中の状態で新たに静止中と判定された場合にＷＰＡＮ端末搭載機器２１の使用者に対してその旨を通知する通知手段２２、及びＷＰＡＮ端末搭載機器２１の使用者が該通知に対する応答を入力する応答手段２３を有して構成される。
【００７４】
図９に示すＷＰＡＮ端末搭載機器２１は、図８においてＷＰＡＮ端末１内に配置されていた通知手段２２と応答手段２３とがＷＰＡＮ端末搭載機器２１側に配置されたものであり、図８において直接行われていたローカルＣＰＵ１１と通知手段２２と応答手段２３との間の入出力はメインＣＰＵ３を介して行われる。
【００７５】
図７〜９において、静止中の状態で新たに移動中と判定された場合及び移動中の状態で新たに静止中と判定された場合の使用者への通知手段には、ディスプレイ、ＬＥＤ等の表示手段、音若しくは音声、振動が用いられる。また、使用者が通知手段からの通知に対する応答を入力する応答手段には、音若しくは音声、振動、キーボードやタッチパネルを含むスイッチ、加速度、傾斜が用いられる。なお、通知手段及び応答手段は、共に、静止中の状態で新たに移動中と判定された場合と移動中の状態で新たに静止中と判定された場合とで共通としても別々としても良い。共通の通知手段及び応答手段を用いる場合でも、その内容、例えばディスプレイの表示内容、ＬＥＤの点滅パターンや色、音のパターン、振動のパターンは異なっても良い。なお、通知手段及び応答手段は、それぞれ静止中の状態で新たに移動中と判定された場合と移動中の状態で新たに静止中と判定された場合専用であっても、他の機能との兼用であっても良い。
【００７６】
また、静止中の状態で新たに移動中と判定された場合の通知に対する応答の内容と移動中の状態で新たに静止中と判定された場合の通知に対する応答の内容をメモリ、レジスタ等の記憶手段に予め保持しておき、通知手段からの通知を受けて応答手段が応答の内容を読み出し、使用者に代わって記憶手段に保持した内容を応答することも可能である。つまり、静止中の状態で新たに移動中と判定された場合の通知に対する応答の内容と、移動中の状態で新たに静止中と判定された場合の通知に対する応答の内容とを、メモリ、レジスタ等の記憶手段に保持することで、以降の通知の際、使用者に代わって記憶手段に保持した内容を応答するＷＰＡＮ端末を実現することができる。
【００７７】
さらに、一定時間内に通知手段からの通知に対する応答が無い場合、予め通知を承諾したもの、若しくは通知を拒否したものとして処理を続行するも可能である。つまり、一定時間内に通知に対する応答が無い場合に、通知を承諾したもの、若しくは通知を拒否したもののどちらかとして処理を継続することにより、速やかに送受信停止、送受信開始が可能なＷＰＡＮ端末を実現することができる。
【００７８】
または、静止中の状態で新たに移動中と判定された場合の通知に対する応答の内容と、移動中の状態で新たに静止中と判定された場合の通知に対する応答の内容とを、メモリ、レジスタ等の記憶手段に予め保持しておき、記憶手段に保持した内容を応答してもよい。つまり、静止中の状態で新たに移動中と判定された場合の通知に対する応答の内容と、移動中の状態で新たに静止中と判定された場合の通知に対する応答の内容とを、メモリ、レジスタ等の記憶手段に保持し、以降の通知の際、一定時間内に通知に対する応答が無い場合は記憶手段に保持した内容を応答することにより、速やかに送受信停止、送受信開始が可能なＷＰＡＮ端末を実現することができる。
【図面の簡単な説明】
【００７９】
【図１】ＷＰＡＮ端末によるグループの競合が発生する場合の概略図である。
【図２】ＷＰＡＮ端末によるグループの競合が発生する場合の概略図である。
【図３】ＷＰＡＮ端末及び周辺機器のシステム構成を示すブロック図である。
【図４】加速度検出回路の構成を示すブロック図である。
【図５】（ａ）、（ｂ）、及び（ｃ）は加速度センサからの出力を示す図である。（ｄ）、（ｅ）、及び（ｆ）は絶対値回路からの出力を示す図である。（ｇ）は加算器からの出力を示す図である。（ｆ）はＰ／Ｈ回路からの出力を示す図である。
【図６】加速度のピーク値に基づきＷＰＡＮ端末が移動中か否かを判断し、電波の送受信を制御する動作のフローチャートである。
【図７】加速度のピーク値に基づきＷＰＡＮ端末が移動中か否かを判断し、電波の送受信を制御する動作のフローチャートである。
【図８】他の実施形態に係るＷＰＡＮ端末及び周辺機器のシステム構成を示すブロック図である。
【図９】他の実施形態に係るＷＰＡＮ端末を搭載するＷＰＡＮ端末搭載機器のシステム構成を示すブロック図である。
【符号の説明】
【００８０】
１    ＷＰＡＮ端末
２    アンテナ
３    メインＣＰＵ
４    メモリ
５    バス
９    ＲＦ部
１０    ベースバンド部
１１    ローカルＣＰＵ
１２    ＭＡＣ
１３    ＰＬＣＰ
１４    ＡＤ／ＤＡ
１５    ＲＦ回路
１６    ファーム搭載メモリ
１７    ワークＲＡＭ
１８    ユーザＩ／Ｆ
１９    加速度検出回路
【図１】
2008124652.tif 000003
【図２】
2008124652.tif 000004
【図３】
2008124652.tif 000005
【図４】
2008124652.tif 000006
【図５】
2008124652.tif 000007
【図６】
2008124652.tif 000008
【図７】
2008124652.tif 000009
【図８】
2008124652.tif 000010
【図９】
2008124652.tif 000011